(57)【要約】      （修正有）【課題】簡便な構成でありながら、作業高さおよび土壌深さを変更可能であり、家庭用として保守が容易かつ低コストであり、植物の栽培管理も容易であって、作業者の膝や腰への肉体的負担を軽減することができ、根菜類の栽培も可能な新規の植物栽培装置および植物栽培方法を提供する。【解決手段】植物栽培装置１は上枠体２と下箱体３とを備え、上枠体２は、枠板２１，２２で囲まれた栽培槽２３の底部に、枠板２１の全長に亘って係止片２４が延設されるとともに枠板２１，２２の下面部に嵌合段部２５が形成され、下箱体３は、底板と側壁３１，３５に囲まれた内部空間が側壁３１と略平行に立設された仕切り壁３２により液肥槽３３と栽培槽３４とに仕切られるとともに、仕切り壁３２の上面部に液肥供給部３８が設けられ、下箱体３の上面部には、嵌合段部２５と嵌合可能な嵌合部３９が設けられ、上枠体２と下箱体３とが上下方向に連結積載可能とされている。【選択図】図２
2020068778.tif 000002
【特許請求の範囲】
【請求項１】
上枠体と、下箱体とを備え、
前記上枠体は、発泡樹脂製の四辺の枠板を有し、この枠板で囲まれた内部空間として栽培槽を構成し、長手方向の前記枠板の底部近傍においては、前記栽培槽側の一面から前記枠板の全長に亘って内方に係止片が延設されているとともに、四辺の枠板の下面部には嵌合段部が形成されており、
前記下箱体は、上面を欠いた発泡樹脂製の箱体であって、底板とともに四辺の側壁を有し、この側壁に囲まれた内部空間では、長手方向の側壁と略平行に立設された仕切り壁により、液肥を貯留可能な液肥槽と、培地を充填可能な栽培槽に間仕切られており、前記液肥槽の底部近傍には、前記下箱体の短手方向の側壁の底部近傍に、前記液肥槽と連通する下箱体貫通孔と、該下箱体貫通孔を開閉自在とする開閉栓が設けられ、前記仕切り壁の上面部には液肥供給部が設けられるとともに、前記下箱体の上面部には、隣接する前記上枠体の嵌合段部と嵌合可能とされた嵌合部が設けられており、
前記開閉栓により前記下箱体貫通孔が封止された前記液肥槽に前記液肥が貯留され、前記栽培槽に前記培地が充填された前記下箱体の前記嵌合部と、前記上枠体の嵌合段部において、前記上枠体と前記下箱体とが上下方向に連結積載可能とされ、
前記係止片により封止された前記液肥槽から、前記仕切り壁の前記液肥供給部を通じて、前記栽培槽へ前記液肥が供給可能とされていることを特徴とする植物栽培装置。
【請求項２】
前記上枠体および前記下箱体に加えて、前記下箱体の栽培槽の底板を欠いた形状の中間枠体を備え、
該中間枠体の上面部には、前記上枠体の嵌合段部と嵌合可能とされた嵌合部が設けられるとともに、下面部には前記下箱体の嵌合部と嵌合可能とされた嵌合段部が設けられており、
前記開閉栓により前記貫通孔が封止された前記液肥槽に液肥が貯留され、前記栽培槽に培地が充填された前記下箱体の前記嵌合部と、前記中間枠体の嵌合段部において、前記中間枠体と前記下箱体とが上下方向に連結積載可能とされ、
前記開閉栓により貫通孔が封止された前記液肥槽に液肥が貯留され、前記栽培槽に培地が充填された前記中間枠体の前記嵌合部と、前記上枠体の嵌合段部において、前記中間枠体と前記上枠体とが上下方向に連結積載可能とされ、
前記係止片により封止された前記液肥槽から、前記仕切り壁の前記液肥供給部を通じて、前記栽培槽へ前記液肥が供給可能とされていることを特徴とする植物栽培請求項１に記載の植物栽培装置。
【請求項３】
前記上枠体において、長手方向の一対の枠板に、その厚み方向に上枠体貫通孔が設けられており、この上枠体貫通孔に液肥供給用の配管が挿通されていることを特徴とする請求項１または２に記載の植物栽培装置。
【請求項４】
前記下箱体貫通孔に水位計測装置が挿通されていることを特徴とする請求項１から３のいずれか一項に記載の植物栽培装置。
【請求項５】
前記中間枠体貫通孔に水位計測装置が挿通されていることを特徴とする請求項２から４のいずれか一項に記載の植物栽培装置。
【請求項６】
前記下箱体貫通孔に連結パイプが挿通されており、該連結パイプを介して水平方向に別の下箱体が連結可能とされている請求項１から３のいずれか一項に記載の植物栽培装置。
【請求項７】
前記中間枠体貫通孔に連結パイプが挿通されており、該連結パイプを介して水平方向に別の中間枠体が連結可能とされている請求項２または５に記載の植物栽培装置。
【請求項８】
前記植物が根菜類であることを特徴とする請求項１から７のいずれか一項に記載の植物栽培装置。
【請求項９】
以下の工程を含むことを特徴とする請求項１に記載の植物栽培装置を用いた植物栽培方法。
＜１＞地面または床面に前記下箱体を設置し、前記液肥槽に液肥を供給し、前記栽培槽に培地を充填する工程；
＜２＞前記下箱体の液肥槽を封止するように、前記上枠体の係止片を載置し、前記下箱体の上面部に設けられた前記嵌合部と、前記上枠体の下面部に設けられた前記嵌合段部とを嵌合させて上下方向に連結する工程；
＜３＞前記上枠体の枠板で囲まれた栽培槽に、培地を充填し、前記植物の種子を播種または前記植物の苗を移植する工程。
【請求項１０】
以下の工程を含むことを特徴とする請求項２に記載の植物栽培装置を用いた植物栽培方法。
＜１＞地面または床面に前記下箱体を設置し、前記液肥槽に液肥を供給し、前記栽培槽に培地を充填する工程；
＜２＞前記下箱体の液肥槽を封止するように、前記中間体の底板を載置し、前記下箱体の上面部に設けられた前記嵌合部と、前記中間枠体の下面部に設けられた前記嵌合段部とを嵌合させて上下方向に連結する工程；
＜３＞前記中間枠体の液肥槽に液肥を供給し、前記栽培槽に培地を充填する工程；
＜４＞前記中間枠体の液肥槽を封止するように、前記上枠体の係止片を載置し、前記中間枠体の上面部に設けられた前記嵌合部と、前記上枠体の下面部に設けられた前記嵌合段部とを嵌合させて上下方向に連結する工程；
＜５＞前記上枠体の枠板で囲まれた栽培槽に、培地を充填し、前記下箱体および中間枠体の前記仕切り壁上面に設けられた液肥供給部を通じて、液肥槽に貯留された液肥を上枠体、中間枠体および下箱体の栽培槽に充填された培地に供給し、前記植物の種子を播種または前記植物の苗を移植する工程。
【請求項１１】
前記植物が、根菜類であることを特徴とする請求項９または１０に記載の植物栽培方法。
【発明の詳細な説明】
【技術分野】
【０００１】
本発明は、植物栽培装置および植物栽培方法に関するものである。
【背景技術】
【０００２】
近年、我が国では食の安全・安心が強く叫ばれ、一般家庭においても有機農法や減農薬農法での家庭菜園作りが盛んに行われている。例えば、自宅の庭での家庭菜園のみならず、都市近郊の小面積の農地を借り、週末に畑仕事に取り組む活動や、集合住宅のベランダでプランターを用いた土耕（土壌）栽培などが行われている。
【０００３】
庭や農地での土壌栽培では、土壌の深さに関して制限がないため、葉物野菜に限らず、根部や地下茎を可食部とする根菜類の栽培も可能である。しかしながら、庭や農地での土壌栽培では、地表面の高さを大きく変更することが難しいため、作業者が地面のレベルに合わせて、屈んで作業する必要があり、膝や腰への負担が大きいという問題があった。このことは、近年増加しつつある定年退職後に農業に取り組むシニア層が農作業を行う際に、大きな問題となっている。また、農業を生業とする専業および兼業農家においても、高齢化が進んでいるため問題となっている。
【０００４】
一方、プランターを用いた土壌栽培では、設置高さを自在に変更できるため、作業者の膝や腰への負担を比較的小さくすることができ、葉物野菜や地上部に結実する野菜や果実などの植物の栽培を容易に行うことができるものの、プランターの寸法によって土壌深さが制限されるので、地下茎や塊根が可食部とされている芋類や、大根、ゴボウ等の根菜類や、その他の根部が長い植物を栽培することは難しいという問題があった。
【０００５】
そのため、これらの課題を解決することができ、しかも簡便に栽培管理を行うことができる植物栽培装置および植物栽培方法の開発が求められている。このような背景から、従来より、複数の装置を上下方向に積載、連結することで、土壌の深さと作業高さを容易に変更可能な植物栽培装置が提案されている。
【０００６】
例えば、特許文献１には、上面に複数の保水材収容凹部が形成され、下面には前記保水材収容凹部の底面から貫通する排水孔が形成されるとともに該排水孔と重ならない位置に脚用突部が複数設けられた発泡プラスチック製基体と、前記保水材収容凹部に充填された保水材とよりなり、前記基体上に栽培土が配置された植物栽培装置が提案されている。この植物栽培装置では、基体から分離可能な枠部材を基体上面周縁に１つ以上積載可能とされており、枠部材の底部には、栽培土を落下させないようにネット部材が取り付けられている。そのため、多様な大きさの植物の栽培が可能であり、栽培土を盛った状態で枠部材のみを移動させることができ、植物栽培装置の移動、造園作業が容易であるとされている。
【先行技術文献】
【特許文献】
【０００７】
【特許文献１】特開２００２−４５０４３号公報
【発明の概要】
【発明が解決しようとする課題】
【０００８】
しかしながら、特許文献１の植物栽培装置では、基体に枠部材を積載して土壌深さを深くしたとしても、枠部材の底部に取り付けられたネット部材が、物理的障壁となるため、ネット部材の目を通り抜け可能な細い根を持つ植物や、地下茎や根部が枠部材の深さの範囲に収容可能な植物については栽培可能であるが、大根やゴボウ等の根部の長い根菜類については、依然として栽培が難しいという問題があった。
【０００９】
また、仮に、枠部材の底部に取り付けられネット部を取り外して使用したとしても、保水材収容部は最下層に位置する基体にのみ設けられており、必ずしも根圏の全体において好適な水分条件を整えることは容易ではないという問題があった。
【００１０】
以上のように、従来においては、植物栽培装置および植物栽培方法のいずれの面においても簡易、簡便化および作業者の肉体的負担の軽減等について、依然として実際的に満足できるものでなかった。
【００１１】
そこで、本発明は、簡便な構成でありながら、作業高さおよび土壌深さを変更可能であり、家庭用として保守が容易かつ低コストであり、植物の栽培管理も容易であって、作業者の膝や腰への肉体的負担を軽減することができ、根菜類の栽培も可能な新規の植物栽培装置および植物栽培方法を提供することを課題としている。
【課題を解決するための手段】
【００１２】
上記の課題を解決するため、本発明の植物栽培装置および植物栽培方法は、以下のことを特徴としている。
【００１３】
（１）本発明の植物栽培装置は、上枠体と、下箱体とを備え、  前記上枠体は、発泡樹脂製の四辺の枠板を有し、この枠板で囲まれた内部空間として栽培槽を構成し、長手方向の前記枠板の底部近傍においては、前記栽培槽側の一面から、前記枠板の全長に亘って係止片が延設されているとともに四辺の枠板の下面部に嵌合段部が形成されており、
前記下箱体は、上面を欠いた発泡樹脂製の箱体であって、底板とともに、四辺の側壁を有し、この側壁に囲まれた内部空間では、長手方向の側壁と略平行に立設された仕切り壁により、液肥を貯留可能な液肥槽と、培地を充填可能な栽培槽に間仕切られており、前記液肥槽の底部近傍には、前記下箱体の短手方向の側壁の底部近傍に、前記液肥槽と連通する下箱体貫通孔と、該下箱体貫通孔を開閉自在とする開閉栓が設けられ、前記仕切り壁の上面部には液肥供給部が設けられるとともに、前記下箱体の上面部には、隣接する前記上枠体の嵌合段部と嵌合可能とされた嵌合部が設けられており、
前記開閉栓により前記下箱体貫通孔が封止された前記液肥槽に前記液肥が貯留され、前記栽培槽に前記培地が充填された前記下箱体の前記嵌合部と、前記上枠体の嵌合段部において、前記上枠体と前記下箱体とが上下方向に連結積載可能とされ、
前記係止片により封止された前記液肥槽から、前記仕切り壁の前記液肥供給部を通じて、前記栽培槽へ前記液肥が供給可能とされていることを特徴とする。
【００１４】
（２）前記（１）の植物栽培装置において、前記上枠体および前記下箱体に加えて、前記下箱体の栽培槽の底板を欠いた形状の中間枠体を備え、
該中間枠体の上面部には前記上枠体の嵌合段部と嵌合可能とされた嵌合部が設けられるとともに、下面部には前記下箱体の嵌合部と嵌合可能とされた嵌合段部が設けられており、
前記開閉栓により前記貫通孔が封止された前記液肥槽に液肥が貯留され、前記栽培槽に培地が充填された前記下箱体の前記嵌合部と、前記中間枠体の嵌合段部において、前記中間枠体と前記下箱体とが上下方向に連結積載可能とされ、
前記開閉栓により貫通孔が封止された前記液肥槽に液肥が貯留され、前記栽培槽に培地が充填された前記中間枠体の前記嵌合部と、前記上枠体の嵌合段部において、前記中間枠体と前記上枠体とが上下方向に連結積載可能とされ、
前記係止片により封止された前記液肥槽から、前記仕切り壁の前記液肥供給部を通じて、前記栽培槽へ前記液肥が供給可能とされていることが好ましく考慮される。
【００１５】
（３）前記（１）または（２）の植物栽培装置では、前記上枠体において、長手方向の一対の枠板に、その厚み方向に上枠体貫通孔が設けられており、この上枠体貫通孔に液肥供給用の配管が挿通されていることが好ましく考慮される。
【００１６】
（４）また、前記下箱体貫通孔に水位計測装置が挿通されていることが好ましく考慮される。
【００１７】
（５）さらに、前記中間枠体貫通孔に水位計測装置が挿通されていることが好ましく考慮される。
【００１８】
（６）また、前記下箱体貫通孔に連結パイプが挿通されており、該連結パイプを介して水平方向に別の下箱体が連結可能とされていることが好ましく考慮される。
【００１９】
（７）さらに、前記中間枠体貫通孔に連結パイプが挿通されており、該連結パイプを介して水平方向に別の中間枠体が連結可能とされていることが好ましく考慮される。
【００２０】
（８）また、前記植物が根菜類であることが好ましく考慮される。
【００２１】
（９）以下の工程を含むことを特徴とする前記（１）の植物栽培装置を用いた植物栽培方法。
＜１＞地面または床面に前記下箱体を設置し、前記液肥槽に液肥を供給し、前記栽培槽に培地を充填する工程；
＜２＞前記下箱体の液肥槽を封止するように、前記上枠体の係止片を載置し、前記下箱体の上面部に設けられた前記嵌合部と、前記上枠体の下面部に設けられた前記嵌合段部とを嵌合させて上下方向に連結する工程；
＜３＞前記上枠体の枠板で囲まれた栽培槽に、培地を充填し、前記植物の種子を播種または前記植物の苗を移植する工程。
【００２２】
（１０）以下の工程を含むことを特徴とする前記（２）の植物栽培装置を用いた植物栽培方法。
＜１＞地面または床面に前記下箱体を設置し、前記液肥槽に液肥を供給し、前記栽培槽に培地を充填する工程；
＜２＞前記下箱体の液肥槽を封止するように、前記中間体の底板を載置し、前記下箱体の上面部に設けられた前記嵌合部と、前記中間枠体の下面部に設けられた前記嵌合段部とを嵌合させて上下方向に連結する工程；
＜３＞前記中間枠体の液肥槽に液肥を供給し、前記栽培槽に培地を充填する工程；
＜４＞前記中間枠体の液肥槽を封止するように、前記上枠体の係止片を載置し、前記中間枠体の上面部に設けられた前記嵌合部と、前記上枠体の下面部に設けられた前記嵌合段部とを嵌合させて上下方向に連結する工程；
＜５＞前記上枠体の枠板で囲まれた栽培槽に、培地を充填し、前記下箱体および中間枠体の前記仕切り壁上面に設けられた液肥供給部を通じて、液肥槽に貯留された液肥を上枠体、中間枠体および下箱体の栽培槽に充填された培地に供給し、前記植物の種子を播種または前記植物の苗を移植する工程。
【００２３】
（１１）前記（９）または（１０）の植物栽培方法では、前記植物が、根菜類であることが好ましく考慮される。
【発明の効果】
【００２４】
本発明の植物栽培装置および植物栽培方法によれば、簡易な構造でありながら、作業高さおよび土壌深さを変更可能であり、家庭用として保守が容易かつ低コストであり、植物の栽培管理も容易であって、作業者の膝や腰への肉体的負担を軽減することができ、しかも葉物野菜のみならず従来のプランターでは栽培が難しかった根菜類等も簡便に栽培することができる。
【図面の簡単な説明】
【００２５】
【図１】本発明の植物栽培装置の第一の実施形態を示す一部切欠斜視図である。
【図２】図１の分解斜視図である。
【図３】本発明の植物栽培装置の第一の実施形態において、上枠体および下箱体の栽培槽に設けられたスリットに仕切り板を挿通し、前記栽培槽を区切って使用する態様を模式的に示す分解斜視図である。
【図４】図１のＡ−Ａ断面における断面図に液肥及び培地を充填した状態を示した図である。
【図５】（ａ）は、本発明の植物栽培装置の第一の実施形態における上枠体を示す概略平面図である。（ｂ）は、（ａ）のＢ−Ｂ断面図である。
【図６】本発明の植物栽培装置の第一の実施形態における下箱体を示す概略平面図である。
【図７】（ａ）は、図６のＣ−Ｃ断面図である。（ｂ）は、図６のＤ−Ｄ断面図である。（ｃ）は、図６のＥ−Ｅ断面図である。
【図８】（ａ）は、図３に示した本発明の植物栽培装置の第一の実施形態において、上枠体および下箱体の栽培槽に設けられたスリットに仕切り板を挿通するとともに、液肥及び培地を充填した状態を模式的に示した平面図である。（ｂ）は、（ａ）のＢ’−Ｂ’断面図である。
【図９】本発明の植物栽培装置の第一の実施形態において、下箱体の短手方向の側壁であって栽培槽の外壁に相当する部分に、側壁貫通孔を穿設し、該貫通孔に温水を循環可能なヒートパイプを挿通する態様を示した概略平面図である。
【図１０】本発明の植物栽培装置の第一の実施形態において、液肥供給部として吸水体を備える態様のＡ−Ａ断面図に液肥及び培地を充填した状態を示した図である。
【図１１】本発明の植物栽培装置の第一の実施形態において、下箱体の液肥槽に液肥を充填するとともに、植物Ｐの周囲に円状に吸水体を配置した状態を模式的に示した概略平面図である。
【図１２】本発明の植物栽培装置の第二の実施形態を示す一部切欠斜視図である。
【図１３】図１２の分解斜視図である。
【図１４】図１２のＦ−Ｆ断面における断面図に液肥及び培地を充填するとともに、液肥供給部として吸水体を併用して植物を栽培している状態を示した図である。
【図１５】本発明の植物栽培装置の第二の実施形態における中間枠体を示す平面図である。
【図１６】（ａ）は、図１５のＧ−Ｇ断面図である。（ｂ）は、図１５のＨ−Ｈ断面図である。（ｃ）は、図１５のＩ−Ｉ断面図である。
【図１７】（ａ）は、本発明の植物栽培装置の第二の実施形態の水平方向における連結状態を示す一部切欠斜視図である。（ｂ）は、（ａ）のＪ−Ｊ断面における概略断面図である。
【図１８】本発明の植物栽培装置の第二の実施形態を連結状態で用いた植物栽培施設の概略断面図に液肥及び培地を充填するとともに、液肥供給部として吸水体を併用して植物を栽培している状態を示した図である。
【図１９】本発明の植物栽培装置を用いた場合の栽培槽中の培地の体積含水率測定試験の結果を示したグラフである。
【図２０】本発明の植物栽培装置を用いて栽培した大根を示した写真である。
【発明を実施するための形態】
【００２６】
次に、本発明の実施形態について図面に沿ってさらに詳しく説明する。
【００２７】
図１は、本発明の植物栽培装置の第一の実施形態を概略的に示した一部切欠斜視図である。図２は、図１の分解斜視図である。  植物栽培装置１は、上枠体２と、下箱体３とを備え、上枠体２は、発泡樹脂製の四辺の枠板２１、２２と、この枠板２１、２２で囲まれた内部空間として栽培槽２３を構成し、長手方向の枠板２１の底部近傍においては、栽培槽２３側の一面から、枠板２１の全長に亘って係止片２４が設けられているとともに、四辺の枠板２１、２２の下面部に嵌合段部２５が形成されている。また、上枠体２においては、図１、２に示したように、栽培槽２３の対向する内側面にスリット２６が形成されている。このスリット２６には、図３に示したように、栽培槽２３の上方より仕切り板２７を挿通し、栽培槽２３の空間を適宜区切って使用可能とされている。
【００２８】
一方、下箱体３は、上面を欠いた発泡樹脂製の箱体であって、底面とともに四辺の側壁３１、３５を有し、この側壁３１、３５に囲まれた内部空間では、長手方向の側壁３１と略平行に立設された仕切り壁３２により、植物の生育に必須の水分と肥料である無機成分および有機成分を含む液肥４を貯留可能な液肥槽３３と、培地５を充填可能な栽培槽３４に間仕切られている。液肥槽３３の底部近傍には、下箱体３の短手方向の側壁３５の底部近傍に、液肥槽３３と連通する下箱体貫通孔３６と、該下箱体貫通孔３６を開閉自在とする開閉栓３７が設けられ、仕切り壁３２の上面部には液肥供給部３８が設けられるとともに、下箱体３の上面部に、隣接する上枠体２の嵌合段部２５と嵌合可能とされた嵌合部３９が設けられている。また、下箱体３においては、図２に示したように、栽培槽３４の対向する内側面にスリット３２ａが形成されている。このスリット３２ａには、図３に示したように、栽培槽３４の上方より仕切り板３４ｂを挿通し、栽培槽３４の空間を適宜区切って使用可能とされている。
【００２９】
この植物栽培装置１では、開閉栓３７により下箱体貫通孔３６が封止された液肥槽３３に液肥４が貯留され、図４に示したように、栽培槽３４に培地５が充填された下箱体３の嵌合部３９と、上枠体２の嵌合段部２５において、上枠体２と下箱体３とが上下方向に連結積載可能とされている。なお、図４は、図１のＡ−Ａ断面における断面図に液肥及び培地を充填した状態を示した図である。
【００３０】
嵌合段部２５および嵌合部３９については、それぞれ、上枠体２の下面部および下箱体３の上面部の端縁に設けても良いし、側壁２１、２２、３１、３５の厚み方向略中央部に設けてもよい。
【００３１】
また、植物栽培装置１において、栽培槽３４への液肥４の供給は、図４に示したように、上枠体２の係止片２４により封止された下箱体３の液肥槽３３から、仕切り壁３２の液肥供給部３８を通じて、供給可能とされている。すなわち、下箱体３の液肥槽３３は、仕切り壁３２の上面部に設けられた液肥供給部３８のみを送液用の開口部とする閉鎖空間となり、液肥供給部３８を通じて栽培槽３４中の培地５に液肥４を供給することができる。また、培地５に供給された液肥４は、培地５の毛管現象や浸透によって吸水されるので、液肥供給部３８と隣接しておらず、かつ液肥４と直接接触していない培地５にまで水分を供給することができる。そのため、液肥４が栽培槽３４中の培地５全体に拡散していく。
【００３２】
図５（ａ）は、本発明の植物栽培装置の第一の実施形態における上枠体を示す概略平面図である。図５（ｂ）は、図５（ａ）のＢ−Ｂ断面図である。
【００３３】
上枠体２の寸法については、植物を栽培可能であれば、特に制限されることはないが、例えば、高さ２０ｃｍ程度であることが例示される。
【００３４】
また、上枠体２の栽培槽２３の寸法についても、植物を栽培可能であれば、特に制限されることはないが、例えば、深さ１８ｃｍ〜２０ｃｍ程度であることが例示される。
【００３５】
上枠体２の係止片２４の寸法については、下箱体３の液肥槽３３を封止するとともに、仕切り壁３２の液肥供給部３８も覆うことができれば、特に制限されることはない。例えば、幅１０ｃｍ〜１５ｃｍ程度であることが例示される。
【００３６】
また、図示しないが、上枠体２において、長手方向の一対の枠板２１に、その厚み方向に上枠体貫通孔が設けられており、この上枠体貫通孔に液肥供給用の配管が挿通されていることが好ましく考慮される。発芽間もない植物では、根の長さが短く、下箱体３の栽培槽３４まで根が達さないケースもある。この場合、上枠体２の栽培槽２３に充填された培地５が植物の生育に必要な水分を保持していれば、植物の発芽・生育が進行する。そのため、上枠体２の長手方向の一対の枠板２１に対し、その厚み方向に上枠体貫通孔を設け、該貫通孔に挿入配置された液肥供給用の配管を通じて、上枠体２の栽培槽２３に充填された培地５に直接液肥４を供給することが例示される。
上枠体２において、栽培槽２３の対向する内側面に形成されたスリット２６の全長は、上枠体２の強度低下を招かず、かつ仕切り板２７を保持することができれば、特段限定されることはない。例えば、図１から３に示したように、長手方向の側壁２１の上面部から、栽培槽２３の底部近傍、すなわち係止片２４の上面部まで形成されていることが例示される。
【００３７】
また、スリット２６の幅（側壁２１の長手方向における幅）および深さ（側壁２１の厚み方向における深さ）は、スリット２６の全長の場合と同様に、上枠体２の強度低下を招かず、かつ仕切り板２７を保持することができれば、特段限定されることはない。例えば、幅５〜７ｍｍ、深さ５〜７ｍｍの範囲とすることが例示される。
【００３８】
このようなスリット２６は、あらかじめ上枠体２の金型に突条を形成しておくことにより、上枠体２の成形と同時に形成することが好ましく考慮される。もちろん、スリット２６が設けられていない上枠体２を成形した後に、切削加工や電熱線による熱溶融によってスリット２６を形成してもよい。
【００３９】
仕切り板２７は、栽培槽２３に充填された培地５の土留めとしての機能と、この仕切り板２７によって間仕切られた栽培槽２３内の複数の領域間での、肥料成分の浸透、拡散とを両立し得る構造を備えていることが好ましく考慮される。そのため、仕切り板２７としては、例えば、複数の貫通孔が設けられたパンチングボード等が例示される。また、仕切り板２７の材質は、上記のとおり、培地５の土留めとしての機能を有するとともに、仕切り板２７によって間仕切られた栽培槽２３複数の領域間での、水分や肥料成分の移行が可能である限り、特段限定されることはない。例えば、木質板や、アクリル板等のプラスチック樹脂製のボード、板状に成形した発泡樹脂、金属板等が例示される。
【００４０】
また、仕切り板２７の厚みや寸法については、スリット２６の幅や全長および深さに応じて適宜設計変更することができ、例えば、７ｍｍ程度であることが例示される。
【００４１】
上枠体２、下箱体３およびこれらの接合体である植物栽培装置１には、発泡樹脂成形体を採用している。発泡樹脂成形体は、高い断熱性、保温性を備えているため、液肥槽３３内の液肥４の水温を一定に保温することができる。このため、植物栽培装置１は、春先や晩秋などの低温期や、寒冷地における屋外での植物栽培を安定的、かつ容易にすることができる。また、発泡樹脂成形体の高い断熱性、保温性により、植物栽培装置１は、真夏などの高温期における屋外での植物栽培を安定的、かつ容易にすることができる。
【００４２】
発泡樹脂の種類については特に限定されることはないが、軽量で、成形性、安定性が良好なもの、例えば、発泡ポリスチレン樹脂等が例示される。
【００４３】
また、上枠体２と下箱体３の成形方法についても従来用いられる各種方法を適用可能である。例えば、注型成形、押出し成形、射出成形等が例示される。
【００４４】
上枠体２、下箱体３およびこれらの接合体である植物栽培装置１を構成する発泡樹脂成形体は、一般的に用いられる発泡樹脂製の箱と同様に白色であってもよいし、各種の染料や顔料等を用いて様々な色に着色されていてもよい。さらに、上枠体２、下箱体３およびこれらの接合体である植物栽培装置１の表面に、塗料や樹脂フィルム等を塗布することにより、発泡樹脂成形体の外観や触感を変更することも可能である。このように、着色や塗布などの表面加工を施すことにより、圃場やビニールハウス等の農地に限らず、家庭内や都市部における屋外環境においても、周囲の景観と馴染み、環境と調和がとれた植物栽培装置１を実現可能である。
【００４５】
図６は、本発明の植物栽培装置の第一の実施形態における下箱体を示す概略平面図である。図７（ａ）は、図６のＣ−Ｃ断面図である。図７（ｂ）は、図６のＤ−Ｄ断面図である。図７（ｃ）は、図６のＥ−Ｅ断面図である。
【００４６】
下箱体３の寸法については、植物を栽培可能であれば、特に制限されることはないが、例えば、高さ２０ｃｍ程度であることが例示される。
【００４７】
下箱体３の液肥槽３３の寸法は、植物の生育に十分な液肥を貯留できる限り、特に制限されることはない。例えば、液肥槽３３の深さとしては、１０ｃｍから１８ｃｍの範囲を例示することができる。
【００４８】
また、下箱体３の栽培槽３４の寸法は、植物を栽培可能であれば、特に制限されることはないが、例えば、深さ１８ｃｍ〜２０ｃｍ程度であることが例示される。  さらにまた、栽培槽３４の対向する内側面に形成されたスリット３２ａの全長は、下箱体３の強度低下を招かず、かつ仕切り板３４ｂを保持することができれば、特段限定されることはない。例えば、図１から３に示したように、長手方向の側壁３１と、この側壁３１と略平行に立設された仕切り壁３２の上面部から、栽培槽３４の内底、すなわち底板３４ａの上面部近傍まで形成されていることが例示される。
【００４９】
あるいは、後述するように、仕切り板３４ｂによって間仕切られた栽培槽３４の複数の領域間において、肥料成分や水分の相互移行を可能とする観点から、栽培槽３４の底部近傍においては栽培槽３４が間仕切られないように、底板３４ａ近傍の側壁３１および仕切り壁３２にはスリット３２ａを形成しない態様も好ましく例示される。このような態様においては、仕切り板３４ｂの下端が、栽培槽３４の内底、すなわち底板３４ａの上面部と接することがない。
【００５０】
また、スリット３２ａの幅（側壁３１および仕切り壁３２の長手方向における幅）および深さ（側壁３１および仕切り壁３２の厚み方向における深さ）は、スリット３２ａの全長の場合と同様に、下箱体３の強度低下を招かず、かつ仕切り板３４ｂを保持することができれば、特段限定されることはない。例えば、幅５〜７ｍｍ、深さ５〜７ｍｍの範囲とすることが例示される。
【００５１】
このようなスリット３２ａは、あらかじめ下箱体３の金型に突条を形成しておくことにより、下箱体３の成形と同時に形成することが好ましく考慮される。もちろん、スリット３２ａが設けられていない下箱体３を成形した後に、切削加工や電熱線による熱溶融によってスリット３２ａを形成してもよい。
【００５２】
仕切り板３４ｂは、栽培槽３４に充填された培地５の土留めとしての機能と、この仕切り板３４ｂによって間仕切られた栽培槽３４の複数の領域間で、肥料成分の浸透、拡散とを両立し得る構造を備えていることが好ましく考慮される。そのため、仕切り板３４ｂとしては、例えば、複数の貫通孔が設けられたパンチングボード等が例示される。また、仕切り板３４ｂの材質は、上記のとおり、培地５の土留めとしての機能を有するとともに、仕切り板３４ｂによって間仕切られた栽培槽３４の複数の領域間で、水分や肥料成分の移行が可能である限り、特段限定されることはない。例えば、木質板や、アクリル板等のプラスチック樹脂製のボード、板状に成形した発泡樹脂、金属板等が例示される。
【００５３】
また、仕切り板３４ｂの厚みや寸法については、スリット３２ａの幅や全長および深さに応じて適宜設計変更することができ、例えば、７ｍｍ程度であることが例示される。
【００５４】
また、下箱体３には、図７（ｂ）（ｃ）に示したように、下箱体３の短手方向の側壁３５の底部近傍に、液肥槽３３を貫通する下箱体貫通孔３６と、該下箱体貫通孔３６を開閉自在とする開閉栓３７が設けられており、通常、この貫通孔３６は、開閉栓３７により栓止されている。また、下箱体貫通孔３６において、開閉栓３７を取り外し、下箱体貫通孔３６と液肥槽３３とを連通するように、液肥供給管を兼ねた水位計測装置６が挿通されていることが好ましく考慮される。下箱体３の短手方向の側壁３５の外側面の側から、下箱体貫通孔３６に水位計測装置６を挿通して装着することにより、水位計測装置６の指示する水位に基づいて、液肥４の補充や、栽培する植物に応じた液肥４の水位の調節が可能となる。
【００５５】
開閉栓３７としては、十分な対候性、密閉性を備えている限り、特に限定されないが、例えば、シリコン栓やプラスチック製の栓等が例示される。
【００５６】
液肥供給部３８は、図２から４、図６および図７（ａ）（ｃ）に示したように、仕切り壁３２の上面部に設けられた溝状の構造であり、その断面形状は、凹溝であっても良いし、Ｖ溝や図示したように半円形の丸溝であってもよい。液肥供給部３８の寸法については、植物の生育に必要な量の液肥４を供給可能であれば、特に制限されることはない。
【００５７】
植物栽培装置１では、植物に供給される水分は、水で最適な濃度に希釈調製された液肥４のみとすることが好ましい。すなわち、液肥４は、植物の生育に最適な無機物および有機物濃度に調製されているので、作業者の農作業への習熟度に依存することなく、農作業の初心者であっても安定した植物栽培が可能となる。
【００５８】
液肥４としては、植物の水耕栽培に通常用いられているものであれば特に制限されることはない。例えば、ハイポネックス原液（株式会社ハイポネックスジャパン製）等が例示される。このような市販の液肥原液を適宜希釈して用いる他、作業者自ら配合、調製した液肥を用いることも考慮される。
また、液肥４を攪拌したり、エアレーションを行うことにより、植物の根圏への酸素供給を増加させることができ、植物の生育が促進可能となる。液肥４の攪拌や、エアレーションは従来公知の方法により行うことが可能であるが、例えば観賞魚飼育用のエアーポンプを用い、該ポンプに接続されたエアー供給用のチューブやホースの一方の端部を液肥槽３３に貯留された液肥４中に投入する方法などが例示される。
【００５９】
下箱体３においては、長手方向の側壁３１の内側面に、液肥槽３３の上面部と同じ高さとなるように、あらかじめ水位の基準線を形成すること等によって、液肥量の目安を明示することが可能である。
【００６０】
植物栽培装置１では、上枠体２の栽培槽２３および下箱体３の栽培槽３４に培地５を充填することで、植物を栽培することができる。栽培槽２３、３４に充填された培地５に、植物の種子を直接播種したり、ビニールハウスや恒温室で出芽、生育させた植物の苗を移植することができる。植物種子の播種および苗の移植は、植物栽培装置１の設置直後、すなわち、下箱体３の液肥槽３３に液肥４を貯留し、栽培槽３４に培地５を充填した直後から行うことができるが、培地５に十分な液肥４を保持させる観点から、例えば、植物栽培装置１の設置後、１０日目以降に行うことが好ましく考慮される。
【００６１】
種子の播種方法は、栽培する植物に応じて適宜選択することができる。例えば、培地表面に直播する方法、培地表面から１ｍｍ〜３ｃｍ程度の深さにまき穴を設け、種子を播種し、該種子上に培地５を被せて埋設する方法等が例示される。
【００６２】
また移植時の苗の高さについても、栽培する植物に応じて適宜選択することができる。
【００６３】
その後は、液肥量の調節や温度、光量等の植物の生育に必要な各種の環境要件を整えることで、播種または移植した植物が発芽し、成長する。
【００６４】
このように、本発明の植物栽培装置１を用いることで、非常に簡便な方法によって、農作業の初心者であっても安定した植物栽培を行うことが可能となる。
【００６５】
植物栽培装置１で栽培可能な植物としては、例えば、葉菜類、果菜類に加え、根菜類等が例示される。
【００６６】
従来の植物栽培装置、特に、水耕栽培装置では、ほとんどの場合、培地として土壌系の農業資材が用いられていなかった。このような従来の水耕栽培装置では、可食部である根、塊根や地下茎の発育に培地からの圧力等の物理的刺激が必須であると考えられる根菜類の栽培は、困難であった。
【００６７】
一方、本発明の植物栽培装置１では、上枠体２および下箱体３の栽培槽２３、３３に充填された培地中で発芽または移植された植物は、適度な水分を保持した培地５中に根を伸長する。培地５中に伸長した根には、培地５からの圧力等の物理的刺激が加わる。このような圧力等の物理的刺激が植物の根に加わることで、植物の根は土耕（土壌）栽培、すなわち自然環境下の土壌中に近い状態で伸長する。そのため、植物栽培装置１では、従来の植物栽培装置、特に水耕栽培装置においても栽培可能であった葉菜類、果菜類に加え、栽培の難しかった根菜類の栽培も可能となる。なお、根菜類を栽培する際には、培地５の深さを十分に確保する必要がある。
【００６８】
培地５の充填時の深さとしては、例えば上枠体２および下箱体３の１ユニットあたり５〜２０ｃｍの範囲内が例示される。培地５の充填時の深さが、上記範囲内であれば、種子の発芽率が高く、根腐れが抑制され、植物の生育が旺盛となる。
【００６９】
培地５としては、例えば、有機配合土、粒状に加工された人工培地や砂、等が例示される。例えば、培地５としてＪＡＳ（日本農林規格）の有機栽培の条件を満たす有機配合土を用いた場合、国が認める有機野菜に準じる、安全性が高く付加価値の高い野菜等の収穫物を得ることができる。また、ＥＭ菌等の有用微生物群を土壌改良剤として添加することも好ましく考慮される。
【００７０】
従来の植物栽培装置では、植物の根が伸長するにつれて、根圏に充分な酸素が行き渡らないことや、根圏に過剰な水分が滞留することから根腐れを起こしてしまう問題があった。
【００７１】
一方、本発明の植物栽培装置１では、培地５として、粒状に加工された人工培地を用いた場合、空気が入り込んだ空隙が土中に多数形成されるため、根圏に十分な酸素を供給することができ、また根腐れも抑制され、植物の生育が旺盛となり好ましい。
【００７２】
また、培地５としては、例えば、カビや害虫の繁殖を抑制可能な抗菌性を備えた素材、保水性と高い蒸散能力を両立し得る多孔質素材、培地５と接触した液肥４中に植物の生育に必要な微量元素を溶出することが可能なミネラル含有素材など各種の機能性備えた粒状素材を用いることが好ましい。このような培地５としては、特に、多孔質セラミックスを粒状に加工したものを好適に利用することができる。多孔質セラミックスは、微細な孔部分に液肥４の成分を保持することができる。しかも、徐放性を有しているため、一度に高濃度の肥料成分が植物の根に供給されることがなく、植物の生育に適した環境を長期にわたって維持することができる。
【００７３】
多孔質セラミックスとしては、例えば、軽石、火山灰、ゼオライト、炭酸カルシウムなどの天然に存在するものはもちろんのこと、アルミナ、酸化ケイ素、酸化マグネシウム、炭化ケイ素、窒化ケイ素あるいはこれらの１種以上の混合焼成体などの合成品、および上記の天然あるいは合成品のセラミックスに、木炭やサンゴカルシウムなどの成分を結合剤とともに添加して焼成することによって得られたものなどが例示される。
【００７４】
このような粒状の多孔質セラミックスは、もちろん単独で使用することが可能であり、培地５として好適に使用することができるその他のものと２種類以上併用したものを使用することも可能である。
【００７５】
また、培地５は、使用する粒状の土、砂、腐葉土、多孔質セラミックス等の粒径や配合によって、植物の植生に応じた根域の湿度を調整することができ、植物にとって最適な環境を作ることができる。例えば、乾燥地植物である朝鮮人参は、根周りの湿度が５０％〜６０％程度であることが最適とされており、培地５の粒子間の空隙を多くして根周りの湿度を下げることが好ましい。一方、差し木等の苗床は、根周りの環境が湿潤な環境であるとよいとされており、培地５の粒子間の空隙を少なくし、保水を高める配合とすることが好ましい。このように根域環境をコントロールすることで乾燥地植物等の特殊な植物の栽培も可能である。
【００７６】
さらにまた、培地５の粒径や配合を制御することにより、液肥槽３３から液肥供給部３８を介して栽培槽３４に充填された培地５へ供給される液肥４の蒸散による気化熱で培地５の潜熱を奪う作用が働く。培地５の粒径を大きくすると、培地５内部の空隙が多く、より蒸散が活発となり根域の温度が低下する。一方、培地５の粒径を小さくしたり、土、砂、腐葉土等を多く配合すると蒸散は少なくなり、温度降下も減少する。このような原理を利用して根域の温度調整も可能となる。
【００７７】
培地５の粒径としては、例えば、１ｍｍ以上５ｍｍ以下、好ましくは１ｍｍ以上３ｍｍ以下の範囲が例示される。
【００７８】
図８（ａ）は、図３に示した本発明の植物栽培装置の第一の実施形態において、上枠体２および下箱体３の栽培槽２３、３４に設けられたスリット２６、３２ａに仕切り板２７、３４ｂを挿通するとともに、液肥４及び培地５を充填した状態を模式的に示した平面図である。図８（ｂ）は、（ａ）のＢ’−Ｂ’断面図である。  この態様においては、下箱体３の栽培槽３４の対向する内側面に形成されたスリット３２ａに、栽培槽３４の上方より仕切り板３４ｂを挿通するとともに、上枠体２の栽培槽２３の対向する内側面に形成されたスリット２６に、栽培槽２３の上方より仕切り板２７が挿通され、栽培槽２３、３４が複数の領域に間仕切られた状態で使用されている。なお、仕切り板３４ｂの下端は、図８（ｂ）に示したとおり、栽培槽３４の底板３４ａとは当接しておらず、仕切り板３４ｂによって間仕切られた栽培槽３４の複数の領域間において、肥料成分や水分の相互移行を可能とするために、栽培槽３４の底部近傍においては、栽培槽３４が間仕切られないように設計されている。
【００７９】
図８（ａ）（ｂ）においては、栽培槽２３、３４は仕切り板２６、３４ｂにより４つの領域に区切られ、図中左端の領域を除く３つの領域には培地５が充填されており、図中左端の領域には堆肥５ａが充填されている。栽培槽２３、３４が間仕切られた複数の領域は、２つ以上の複数の領域であれば特に限定されることはないが、培地５が充填された領域と堆肥５ａが充填された領域との比率が、３：１程度であることが特に好ましい。その場合、培地５と堆肥５ａとの境界にのみ、仕切り板２６、３４ｂが挿通されることとなる。
【００８０】
堆肥５ａは、市販品や、あらかじめ植物栽培装置１の外部で製造したものを、栽培槽２３、３４に充填してもよいし、仕切り板２６、３４ｂにより間仕切られた栽培槽２３、３４の一領域に野菜くずや牛糞、鶏糞などを投入し、植物栽培装置１の内部で堆肥を発酵、熟成させてもよい。
【００８１】
また、堆肥５ａの充填量については、図８（ｂ）に示したように、下箱体３の栽培槽３４の深さの１/２から１/３程度にとどめることが好ましい。上記の充填量であれば、植物栽培装置１の内部で堆肥を発酵、熟成させる場合に、十分に発酵、熟成させることができ、しかも植物栽培装置１の設置場所の周囲に堆肥特有の臭気を拡散してしまうおそれもほとんどない。また、培地５が充填された領域に十分な量の肥料成分を徐々に放出することができる。
【００８２】
図９は、本発明の植物栽培装置の第一の実施形態において、下箱体３の短手方向の側壁３５であって、栽培槽３４の外壁に相当する部分に、側壁貫通孔３５ａを穿設し、該貫通孔３５ａに温水を循環可能なヒートパイプＨを挿通する態様を示した概略平面図である。
【００８３】
図９に示したように、下箱体３にヒートパイプＨを挿通し、温水を供給するための温水ポンプＨｐを用いて、該ヒートパイプＨの内空に温水を送液、循環させることにより、栽培槽３４に充填した培地５を加温し、根圏における温度を上昇させることができる。根圏の温度を上昇させることで、冬季間の植物栽培が可能となるほか、寒さに弱い温暖な地方が原産の植物の栽培も容易となる。
【００８４】
また、図８（ａ）（ｂ）に示した栽培槽３４の一部の領域に堆肥５ａを充填する態様において、図９と同様に、ヒートパイプＨを設けると、堆肥５ａの温度を上昇させることができ、堆肥中の有機物の分解や、堆肥の熟成を促すことができる。
側壁貫通孔３５ａの穿設位置は、液肥槽３３を貫通しない限り、特段限定されることはなく、側壁３５の高さ方向および幅方向の任意の位置であってよい。このような側壁穿設孔３５ａは、あらかじめ下箱体３の金型に略円柱状の凸部を形成しておくことにより、下箱体３の成形と同時に形成することが好ましく考慮される。もちろん、側壁貫通孔３５ａが設けられていない下箱体３を成形した後に、切削加工や電熱線による熱溶融によって側壁貫通孔３５ａを形成してもよい。あらかじめ側壁貫通孔３５ａが形成された下箱体３においては、ヒートパイプＨを設けない場合、下箱体貫通孔３６とこれに対応する開閉栓３７と同様に、シリコン栓などで側壁貫通孔３５ａを封止しておくことが考慮される。
【００８５】
なお、図９中には、下箱体３にヒートパイプＨを設けた態様が図示されるのみであるが、上枠体２の短手方向の枠板２２に、枠板貫通孔を穿設し、該貫通孔に温水を循環可能なヒートパイプを挿通する態様も当然考慮される。
【００８６】
図１０は、本発明の植物栽培装置の第一の実施形態において、液肥供給部３８として、吸水体３８ａを備える場合のＡ−Ａ断面図に液肥及び培地を充填した状態を示した図である。溝状の液肥供給部３８のみでも、培地５への液肥４の供給は行うことができるものの、培地５の充填量が増えた場合には、吸水体３８ａを併用することが好ましい。
【００８７】
吸水体３８ａとしては、例えば、吸水シートまたは吸水糸状体等が例示され、シート状または繊維状の基材に親水性樹脂を被覆したもの等が例示される。吸水体３８ａに用いる親水性樹脂としては、例えば、ポリビニルアルコール（ＰＶＡ）樹脂等が例示される。基材としては従来の農業現場で使用されているプラスチック類を好ましく用いることができる。例えば、ポリプロピレン樹脂やポリエステル樹脂、ポリエチレンテレフタレート樹脂等が例示される。
【００８８】
吸水体３８ａを使用する態様では、従来の植物栽培装置とは異なり、培地５や吸水体３８ａによる毛管現象や培地（土壌）粒子間の浸透によって液肥４を培地５に供給しているため、ポンプ等の機器を必要とすることなく、根圏における水分、空気層が植物の生育にとって好適な自然に近い状態に保たれる。また、植物への水分供給が過多とはなりにくい。そのため、本発明の植物栽培装置１では、従来の植物栽培装置においても栽培可能であった葉物菜類、果菜類に加え、乾燥地植物等のように培地５中の水分が少ない方が生育にとって好ましい植物の栽培が可能である。乾燥地植物としては、例えば、パセリ、朝鮮人参等が例示される。
【００８９】
また、吸水体３８ａは、図１０に示したように、液肥槽３３から栽培槽３４へと直線状に配置してもよいし、図１１に示したように、栽培槽３４において植物Ｐの根部や地下茎の周囲を円状に包囲するように配置してもよい。液肥供給の効率を考慮すると、円状に吸水体３８ａを配置することが好ましい。これにより、吸水体３８ａを液肥槽３３から栽培槽３４へと直線状に配置した場合と比較して、培地５への水分拡散が効率良く行われる。
【００９０】
吸水体３８ａの厚みや長さについては、植物の生育に必要な液肥４を供給可能であれば、特に制限されることはない。例えば、吸水体３８ａの長さとしては、２０ｃｍから７０ｃｍの範囲が例示される。
【００９１】
図１２は、本発明の植物栽培装置の第二の実施形態を示す一部切欠斜視図である。図１３は、図１２の一部切欠分解斜視図である。図１４は、図１２のＦ−Ｆ断面における断面図に液肥及び培地を充填するとともに、液肥供給部として吸水体を併用して植物を栽培している状態を示した図である。図１５は、本発明の植物栽培装置の第二の実施形態における中間枠体を示す平面図である。図１６（ａ）は、図１５のＧ−Ｇ断面図である。図１６（ｂ）は、図１５のＨ−Ｈ断面図である。図１６（ｃ）は、図１５のＩ−Ｉ断面図である。
【００９２】
この実施形態において、図１から図１１に示した実施形態と共通する部位には、同一の符号を付し、以下ではその説明を省略する。
【００９３】
本発明の第二の実施形態として、図１２から図１６に示すように、上枠体２と下箱体３との間に、中間枠体８が設けられた植物栽培装置１ａが例示される。
中間枠体８は、下箱体３の栽培槽３４の底板３４ａを欠いた形状の発泡樹脂成形体である。中間枠体８の上面部には上枠体２の嵌合段部２５と嵌合可能とされた嵌合部８１ａが設けられるとともに、下面部には下箱体３の嵌合部３９と嵌合可能とされた嵌合段部８１ｂが設けられている。これら、嵌合部８１ａおよび嵌合段部８１ｂについては、それぞれ、中間枠体８の上面部および下面部の端縁に設けても良いし、側壁の厚み方向略中央部に設けてもよい。
【００９４】
中間枠体８では、下箱体３と同様に、その内部空間が仕切り壁８２により液肥槽８３と栽培槽８４に間仕切られている。また、中間枠体８においては、図１２および図１３に示したように、栽培槽８４の対向する内側面にスリット８２ａが形成されている。このスリット８２ａには、第一の実施形態と同様に、栽培槽８４の上方より仕切り板を挿通し、栽培槽８４の空間を適宜間仕切って使用可能とされている。さらにまた、短手方向の側壁８５の底部近傍には、液肥槽８３と連通する中間枠体貫通孔８６が設けられており、通常、貫通孔８６は、栓８７により栓止されている。
【００９５】
また、仕切り壁８２の上面部には、溝状の液肥供給部８８が設けられている。
【００９６】
このような構成を具備する中間枠体８は、嵌合段部８１ｂにおいて、開閉栓３７により貫通孔３６が封止された液肥槽３３に液肥４が貯留され、栽培槽３４に培地５が充填された下箱体３と上下方向に連結積載可能とされている。
【００９７】
また、開閉栓８７により貫通孔８６が栓止された液肥槽８３に液肥４が貯留され、栽培槽８４に培地５が充填された中間枠体８の嵌合部８１ａと、上枠体２の嵌合段部２５において、上枠体２と中間枠体８とが上下方向に連結積載可能とされている。
【００９８】
そして、係止片８９により封止された液肥槽８３から、仕切り壁８２の液肥供給部８８を通じて、栽培槽８４へ液肥４が供給可能とされている。液肥槽８３に貯留された液肥４中には、下箱体３の液肥槽３３と同様に、観賞魚飼育用のエアーポンプに接続されたエアー供給用のチューブやホースの一方の端部を投入し、液肥４を攪拌したり、エアレーションを行うことにより、植物の根圏への酸素供給を増加させることができ、植物の生育が促進可能となる。
【００９９】
液肥供給部８８については、第一の実施形態と同様に、吸水体８８ａを備えた態様も好ましく考慮される。吸水体８８ａは、第一の実施形態における吸水体３８ａと同一材料であってもよいし、別異の材料を用いてもよい。
【０１００】
中間枠体８の寸法については、植物を栽培可能であれば、特に制限されることはないが、例えば、高さ２０ｃｍ程度であることが例示される。また、中間枠体８の栽培槽８４の寸法については、植物を栽培可能であれば、特に制限されることはないが、例えば、深さ１８ｃｍ〜２０ｃｍ程度であることが例示される。
【０１０１】
本実施形態において、中間枠体８は、少なくとも１つ具備していればよい。例えば、上枠体２、中間枠体８および下箱体３の高さが、いずれも２０ｃｍである場合、上枠体２、中間枠体８、下箱体３を積載、連結することで形成された植物栽培装置１ａは、その全高が６０ｃｍとなり、作業者が屈むことなく、立位のまま作業を行うことが可能である。そのため、作業者の膝や腰への負担を軽減することができるとともに、根菜類のように根部の長さが長い植物の栽培も容易に行うことができる。作業者の身長や、栽培する植物の根部の深さに応じて、適宜中間枠体８を増設することが可能である。例えば、植物栽培装置１ａが、中間枠体８を２つ具備している場合、上枠体２、中間枠体８および下箱体３を積載、連結することで形成された植物栽培装置１ａは、その全高が８０ｃｍとなり、中間枠体８が１つの場合と比較して、作業者がさらに楽な姿勢で作業できるようになる。
【０１０２】
本発明の植物栽培装置１ａでは、図１７（ａ）（ｂ）および図１８に示すように、複数の下箱体３を短手方向の側壁３５が互いに対向するよう配置するとともに、複数の中間枠体８を短手方向の側壁８５が互いに対向するように配置し、下箱体貫通孔３６と液肥槽３３、中間枠体貫通孔８６と液肥槽８３とを連通するように、連結パイプ７を挿通することで、これら複数の下箱体３および中間枠体８を水平方向に連結することができる。この時、図１７（ｂ）の断面図に示したように隣接する複数の植物栽培装置１の下箱体３および中間枠体８は、連結パイプ７を介して互いに連通しており、液肥４が、隣接する植物栽培装置１ａの液肥槽３３、８３間を相互に移動可能となる。複数の下箱体３および複数の中間枠体８、すなわち複数の植物栽培装置１ａを連結させることにより、大規模な植物栽培施設１ｂを構築、運用することが可能である。図１７（ａ）（ｂ）および図１８では、中間枠体８を備える植物栽培装置１ａを用いた植物栽培施設１ｂを図示しているが、もちろん、中間枠体８を備えていない植物栽培装置１を用いた植物栽培施設１ｃを構築、運用することも可能である。
【０１０３】
連結パイプ７としては、例えば通常の配管に用いられる塩ビパイプ等が例示される。また連結パイプの長さについては、液肥４の送液が可能であれば、特に制限されることなく、例えば、隣接する下箱体３の短手方向の側壁３５の厚さ２枚分をやや上回る程度の長さであることが例示される。また、下箱体の長手方向全長と等しい長さや、長手方向全長を上回る長さであることも例示される。
【０１０４】
このように、複数の植物栽培装置１、１ａを連結させることにより、広い面積の圃場やビニールハウス内、また植物工場と呼ばれる屋内型の植物生産設備において、産業用の大型植物栽培装置あるいは植物栽培施設１ｂ、１ｃとして大規模な植物栽培を実現できる。さらにまた、このような植物栽培装置１、１ａを利用した植物生産施設１ｂ、１ｃは、乾燥帯や砂漠化が進行している地域など、水利用に制限がある地域において、大規模な灌漑施設等の設置を必要とせず、必要最低限の水で植物栽培を実現できる。
【０１０５】
また、植物栽培施設１ｂ、１ｃは、図１４に示したように、地面Ｇより高所に作業者が溶液を補給するための液肥調合槽９と、植物栽培装置１ａの水位を常に一定に保つための水位調整槽１０を備え、液肥調合槽９と水位調整槽１０とは、液肥送液管によって連通されていることが好ましく考慮される。
【０１０６】
液肥調合槽９は、支持脚９ａによって支持され、地面Ｇよりも高所に設置されている。液肥調合槽９の下部、より好ましくは底部には、液肥調合槽９と水位調整槽１０とを連通する液肥送液管１１が設けられており、液肥調合槽９から液肥送液管１１を介して水位調整槽１０へと、重力にしたがって液肥４が送液される。このため、植物栽培施設１ｂ、１ｃにおいては、ポンプ等の動力源を必要としない。また、液肥送液管１１の途中にはストップバルブ１２が設けられており、必要に応じて液肥送液管１１を介した液肥４の送液を遮断することが可能である。また、液肥調合槽９への水と希釈前の液肥を供給する際には、作業者が、作業台１３上にのぼり、液肥調合槽９の蓋９ｂを取り外して水と希釈前の液肥を投入することが例示される。
【０１０７】
水位調整槽１０は、その一部分が地中に埋設させることが例示される。このような態様においては、水位調整槽１０と植物栽培装置１ａの液肥槽３３、８３における液肥４の液面が、常に等しくなるように調整することが可能である。すなわち、水位調整槽１０は、上流側に液肥調合槽９と連通する液肥送液管１１が挿通されており、液肥送液管１１の開口部には、ボールタップ１４が設けられている。また、水位調整槽１０は、その下流側であって、液肥送液管１１が挿通されている位置よりも低い位置に、植物栽培装置１ａと連通する連結パイプ７が挿通されている。ボールタップ１４は、水位調整槽１０および植物栽培装置１ａの液肥４の液面が所定の高さを下回ると、液肥送液管１１の開口部を開放し、液肥調合槽１０からの液肥４の流入を可能とする。一方、水位調整槽９と植物栽培装置１ａの液肥４の液面が、所定の高さに達すると、水位調整槽９内の液肥４によってボールタップ１４が持ち上げられ、液肥送液管１１の開口部を塞ぐ。このため、ポンプ等の動力を一切用いることなく、水位調整槽９と植物栽培装置１ａの液肥４の液面が常に等しくなるように調整することが可能である。
【０１０８】
また、本発明の植物栽培装置１、１ａは、装置側面に支柱固定部を設け、これに支柱組を立設支持し、ビニールカバー等の樹脂フィルムで覆うことで、温度の変化および風や雨を防御・緩和可能なビニールハウス仕様を構成することが可能である。さらには、支柱組にＬＥＤ照明器具などの光源を懸架してもよい。これにより、光量不足の屋内での植物栽培も可能となる。
【０１０９】
このような特徴から、本発明の植物栽培装置１、１ａは家庭において従来、ポット型、プランター型の植物栽培装置では栽培が難しかった根菜類などを簡便に栽培できるのみならず、産業としての農業現場においても根菜類などを簡便に栽培可能とする植物栽培装置である。また、本発明の植物栽培装置１、１ａによれば、土壌表面の高さが、作業者の腰の高さと近いため、屈む必要がほとんどなく、作業者の足腰への負担が大幅に軽減される。
【０１１０】
なお、本発明の植物栽培装置は、以上のような実施形態によって限定されるものではない。上枠体２、下箱体３、および中間枠体８の各構成の大きさや形状などの細部について様々な態様が可能である。さらに、栽培のための液肥４の化学組成や温度、光量などの管理等については、従来と同様、同等のものとして考慮されてよい。本発明の装置の適用範囲は広い。
【０１１１】
次に、本発明の植物栽培装置を用いた植物栽培方法を説明する。
【０１１２】
本発明の植物栽培方法は、前記のとおりの植物栽培装置を用いることを特徴としており、少なくとも以下の工程を含んでいる。＜１＞地面または床面に前記下箱体を設置し、前記液肥槽に液肥を供給し、前記栽培槽に培地を充填する工程；
＜２＞前記下箱体の液肥槽を封止するように、前記上枠体の係止片を載置し、前記下箱体の上面部に設けられた前記嵌合部と、前記上枠体の下面部に設けられた前記嵌合段部とを嵌合させて上下方向に連結する工程；
＜３＞前記上枠体の枠板で囲まれた栽培槽に、培地を充填し、前記植物の種子を播種または前記植物の苗を移植する工程。
【０１１３】
工程＜１＞として、地面または床面に下箱体３を設置し、液肥槽３３に液肥４を供給し、栽培槽３４に培地５を充填する。
【０１１４】
下箱体３の設置場所は、屋外であっても屋内であってもよい。また、屋外に設けたビニールハウス等の施設の内部に設置してもよい。
【０１１５】
液肥槽３３に注水する液肥４としては、市販の水耕栽培用の液肥を利用することが可能である。液肥槽３３には、下箱体３と上枠体２を積載、連結した際に、下箱体３の仕切り壁３２上面部に設けられた液肥供給部３８を介して液肥４が栽培槽３４に到達するよう、十分な量の液肥４を貯留しておくことが望ましい。例えば、液肥量は、下箱体３の仕切り壁３２の上面部と同じ高さまで貯留することが例示される。また、下箱体３の長手方向の側壁３１の内側面に、液肥槽３３の上面部と同じ高さとなるように、あらかじめ水位の基準線を形成すること等によって、液肥量の目安を明示することが可能である。このような基準線の設けられた下箱体３を用いることによって、農作業の初心者であっても液肥量を適切に管理することが可能となる。
【０１１６】
また、下箱体貫通孔３６において、開閉栓３７を取り外し、下箱体貫通孔３６と液肥槽３３とを連通するように、液肥供給管を兼ねた水位計測装置６が挿通されていることが好ましく考慮される。下箱体貫通孔３６に下箱体３の短手方向の側壁３５側から水位計測装置６を挿通して装着することにより、水位計測装置６の指示する水位に基づいて、液肥４の補充や栽培する植物に応じた液肥４の水位の調節が可能となる。
【０１１７】
工程＜２＞として、下箱体３の液肥槽３３を封止するように、上枠体２の係止片２４を載置し、下箱体３の上面部に設けられた嵌合部３９と、上枠体２の下面部に設けられた嵌合段部２５とを嵌合させて上下方向に連結する。
【０１１８】
これにより、栽培槽３４への液肥４の供給は、上枠体２の係止片２４により封止された下箱体３の液肥槽３３から、仕切り壁３２の液肥供給部３８を通じて、供給可能とされている。すなわち、下箱体３の液肥槽３３は、仕切り壁３２の上面部に設けられた液肥供給部３８のみを送液用の開口部とする閉鎖空間となり、液肥供給部３８を通じて栽培槽３４中の培地５に液肥４を供給することができる。また、培地５に供給された液肥４は、培地５の毛管現象や浸透によって吸水されるので、液肥供給部３８と隣接しておらず液肥４と直接接触していない培地５にまで水分を供給することができる。そのため、液肥４が栽培槽３４中の培地５全体に拡散していく。
【０１１９】
また、溝状の液肥供給部３８のみでも、培地５への液肥４の供給は行うことができるものの、培地５の充填量が増えた場合には、吸水体３８ａを併用することが好ましい。
【０１２０】
工程＜３＞として、上枠体２の枠板２１、２２で囲まれた栽培槽２３に、培地５を充填し、植物Ｐの種子を播種または植物Ｐの苗を移植する。
【０１２１】
栽培槽２３、３４に充填された培地５に、植物の種子を直接播種したり、ビニールハウスや恒温室で出芽、生育させた植物の苗を移植することができる。植物種子の播種および苗の移植は、植物栽培装置１の設置直後から行うことができるが、培地５に十分な液肥４を保持させる観点から、例えば、植物栽培装置１の設置後、すなわち、下箱体３の液肥槽３３に液肥４を貯留し、栽培槽３４に培地５を充填した後、１０日目以降に行うことが好ましく考慮される。
【０１２２】
種子の播種方法は、栽培する植物に応じて適宜選択することができる。例えば、培地表面に直播する方法、培地表面から１ｍｍ〜３ｃｍ程度の深さにまき穴を設け、種子を播種し、該種子上に培地５を被せて埋設する方法等が例示される。
【０１２３】
また移植時の苗の高さについても、栽培する植物に応じて適宜選択することができる。
【０１２４】
その後は、液肥量の調節や温度、光量等の植物の生育に必要な各種の環境要件を整えることで、播種または移植した植物が発芽し、成長する。
【０１２５】
このように、本発明の植物栽培方法によれば、農作業の初心者であっても非常に簡便に安定した植物栽培を行うことが可能となる。また、本発明の植物栽培方法によれば、土壌表面の高さが、作業者の腰の高さと近いため、屈む必要がほとんどなく、作業者の足腰への負担が大幅に軽減される。
【０１２６】
また、本発明の植物栽培方法の別の方法は、上記の植物栽培方法と同様、植物栽培装置を用いることを特徴としており、少なくとも以下の工程を含んでいる。
＜１＞地面または床面に前記下箱体を設置し、前記液肥槽に液肥を供給し、前記栽培槽に培地を充填する工程；
＜２＞前記下箱体の液肥槽を封止するように、前記中間体の底板を載置し、前記下箱体の上面部に設けられた前記嵌合部と、前記中間枠体の下面部に設けられた前記嵌合段部とを嵌合させて上下方向に連結する工程；
＜３＞前記中間枠体の液肥槽に液肥を供給し、前記栽培槽に培地を充填する工程；
＜４＞前記中間枠体の液肥槽を封止するように、前記上枠体の係止片を載置し、前記中間枠体の上面部に設けられた前記嵌合部と、前記上枠体の下面部に設けられた前記嵌合段部とを嵌合させて上下方向に連結する工程；
＜５＞前記上枠体の枠板で囲まれた栽培槽に、培地を充填し、前記下箱体および中間枠体の前記仕切り壁上面に設けられた液肥供給部を介して、液肥槽に貯留された液肥を上枠体、中間枠体および下箱体の栽培槽に充填された培地に供給し、前記植物の種子を播種または前記植物の苗を移植する工程。
【０１２７】
工程＜１＞は、先に詳述した植物栽培方法の工程＜１＞と共通するため、説明を省略する。
【０１２８】
工程＜２＞として、下箱体３の液肥槽３３を封止するように、中間枠体８の液肥槽８３の底板８３ａを載置し、下箱体３の上面部に設けられた嵌合部３９と、中間枠体８の下面部に設けられた嵌合段部８１ｂとを嵌合させて、下箱体３と中間枠体８とを上下方向に連結する。液肥４の供給方法については、先に詳述した植物栽培方法の工程＜２＞と共通するため、説明を省略する。
【０１２９】
工程＜３＞として、中間枠体８の液肥槽８３に液肥４を供給し、栽培槽８４に培地５を充填する。
【０１３０】
工程＜４＞として、中間枠体８の液肥槽８３を封止するように、上枠体２の係止片２４を載置し、中間枠体８の上面部に設けられた嵌合部８１ａと、上枠体２の下面部に設けられた嵌合段部２５とを嵌合させて、中間枠体８と上枠体２とを上下方向に連結する。工程＜４＞の詳細については、先に詳述した植物栽培方法の工程＜２＞と共通するため、説明を省略する。
【０１３１】
工程＜５＞として、上枠体２の枠板２１、２２で囲まれた内部空間としての栽培槽２３に、培地５を充填し、下箱体３および中間枠体８の仕切り壁３２、８２の上面に設けられた液肥供給部３８、８８を通じて、液肥槽３３、８３に貯留された液肥４を上枠体２、中間枠体８および下箱体３の栽培槽２３、８４、３４に充填された培地５に供給する。そして、培地５に、毛管現象によって液肥４が行き渡ったところで、植物Ｐの種子を播種または植物Ｐの苗を移植する。
【０１３２】
植物の種子を播種または前記植物の苗を移植した後は、液肥量の調節や温度、光量等の植物の生育に必要な各種の環境要件を整えることで、播種した植物が発芽し、成長する。
【０１３３】
このような植物栽培方法を適用可能な植物としては、例えば、葉菜類、果菜類に加え、根菜類等が例示される。
【０１３４】
以上のように、非常に簡便な方法によって、農作業の初心者であっても安定した植物栽培を行うことが可能となる。
【０１３５】
さらに、本発明の植物栽培方法は、液肥４を、液肥槽３３に挿通した水位計測装置６の指示する水位に基づいて水位調整することができる。
【０１３６】
水位計測装置６の指示する水位に基づいて水位調整することにより、適切な液肥４の追加時期を容易に判断することが可能であり、また、液肥４の水位を低めに設定することで、培地５の体積含水率を低下させて、乾燥地植物等のように培地５中の水分が少ない方が生育にとって適した植物の栽培が容易となる。
【０１３７】
液肥４の追加方法としては、例えば、第一の実施形態においては、下箱体貫通孔３６と液肥槽３３を連通するように挿通された連結パイプ７を介して、液肥４を追加する方法が例示される。また、第二の実施形態においては、例えば、上記下箱体３に加えて中間枠体貫通孔と液肥槽を連通するように挿通された連結パイプ７を介して、液肥４を追加することができる。
【０１３８】
また、溝状の液肥供給部３８、８８のみでも、培地５への液肥４の供給は行うことができるものの、培地５の充填量が増えた場合には、吸水体３８ａ、８８ａを併用することが好ましい。
【０１３９】
本発明の植物栽培方法では、下箱体３の少なくとも一部を地中に埋設して使用する方法が例示される。例えば、植物栽培装置１、１ａを設置する場所の地面を掘削して形成した穴の底部を平坦にして防水シートを敷設し、該防水シート上に下箱体３を載置することが考慮される。その際、下箱体３に直接土が接触しないように、下箱体３の底部および側面を前記防水シートで包むようにして地中に埋設して使用することが好ましい。
【０１４０】
植物栽培装置１、１ａは、その材質が保温性の高い合成発泡樹脂製であるので、液肥槽３３内の液肥４の水温を一定に保温する効果が高い。そのため、春先や晩秋などの低温期における屋外での植物栽培を安定的、かつ容易にすることができる。また、砂漠地帯のように地面の温度が極めて高温になる地域においても、液肥の温度上昇を抑制し、植物に対する高温ストレスを低減することが可能となる。
【０１４１】
以下に実施例を示すが、本発明の植物栽培装置および植物栽培方法は、上記のとおりの実施形態によって、何ら限定されるものではない。栽培のための液肥の化学組成や温度、光量などの管理等については、従来と同様、同等のものとして考慮されてよい。本発明の植物栽培装置および植物栽培方法の適用範囲は広い。
【実施例】
【０１４２】
（培地の体積含水率測定試験）
上枠体、中間枠体１つ、下箱体からなる３段構造の植物栽培装置をビニールハウス内に設置し、ハイポネックス原液を５００倍に希釈し、中間枠体および下箱体の液肥槽に供給した。  上枠体、中間枠体および下箱体の栽培槽に、培地として平均粒径４ｍｍの市販の培地を充填し、中間枠体と下枠体においては、吸水体として長さ６５ｃｍの市販の水やりテープ（基材：ＰＶＡ樹脂製スポンジ、芯材：ポリエステル樹脂）を設置し、該水やりテープの一方の端部が液肥槽の底部に達し、他方の端部が仕切り壁の液肥供給部を介して、仕切り壁と対向する栽培槽側の長手方向の側壁との中間部分に直径１５ｃｍの円を描くように設置した。なお、中間枠体および下枠体のそれぞれの栽培槽に充填された培地の表面とほぼ同一高さとなるように設置した。
【０１４３】
また、上枠体、中間枠体および下箱体の栽培槽には、含水率の測定を目的として、水分センサー（ＷＤ-３-ＷＥＴ-５Ｙ、ＡＲＰ社製）およびデータロガー（ＷＤＲ-１、ＡＲＰ社製）を設置した。上枠体におけるセンサー設置位置は、中間枠体の水やりテープの表面より１０ｃｍ上とした。中間枠体におけるセンサー設置位置は、上枠体のセンサー設置位置の２３ｃｍ下であり、下箱体の水やりテープと同一深さとした。下箱体におけるセンサー設置位置は、中間枠体のセンサー設置位置の２５ｃｍ下とした。この培地の体積含水率測定試験においては、植物栽培装置の設置後、すなわち、下箱体の液肥槽に液肥を貯留し、栽培槽に培地を充填した日を液肥供給開始日（液肥供給開始後０日）とし、液肥供給開始後９日目から７２日目までの培地の体積含水率（％）を測定した結果をグラフにまとめた。結果を図１９に示す。
【０１４４】
図１９に示したように、上枠体および中間枠体においては、液肥供給開始から１０日を過ぎた時点で、培地の体積含水率が１０％を超え、植物の生育に適した水分が供給されることが確認できた。培地の体積含水率１５％〜２２％弱の範囲で頭打ちとなり、水分過剰となることはなかった。
【０１４５】
一方、下箱体においては、液肥供給開始から４５日目までは培地の体積含水率が５％程度であった、５４日目以降、培地の体積含水率が１０％を超えることが確認された。下箱体では、中間枠体部分からの水分が時間の経過とともに徐々に下方に下がっていったことが考えられる。
【０１４６】
（根菜類の栽培試験）
上枠体、中間枠体１つ、下箱体からなる３段構造の植物栽培装置をビニールハウス内に設置し、ハイポネックス原液を５００倍に希釈し、中間枠体および下箱体の液肥槽に供給した。また、希釈した液肥は、上枠体に挿通した液肥供給パイプを介し、後述の上枠体の栽培槽に充填された培地にも供給した。
【０１４７】
上枠体、中間枠体および下箱体の栽培槽に、培地として平均粒径４ｍｍの市販の培地を充填し、深さ２ｃｍ程度のまき穴をつけ、根菜類として市販の大根（品種名：サラダ大根、（株）トーホク）の種子を、まき穴１つあたり４〜５粒直播した。まき穴同士の間隔は、２５ｃｍ程度とした。播種後、４〜５日程度でサラダ大根の種子が発芽し、大根が成長するにつれて、適宜間引きをおこなった。約３ヶ月間栽培した後、根の直径が７ｃｍを超えていることを確認し、大根を収穫した。収穫した大根を図２０に示す。なお、栽培期間中、液肥槽および液肥供給パイプを介して供給される液肥はその都度補充した。また、栽培期間中のビニールハウス内の最低気温は、５．６℃〜１７．８℃、最高気温は３６．０℃〜４１．３℃であった。
【０１４８】
収穫したサラダ大根は、いわゆる「首」の部分から先端の「しっぽ」の部分までの合計長さが７０ｃｍであり、該「しっぽ」を除いた可食部の長さは５１ｃｍであった。また、「しっぽ」を除いた可食部のうち、上部の胚軸部分の長さは２６ｃｍであり、真の根の部分の長さは２５ｃｍであった。
【０１４９】
このように、本発明の植物栽培装置を用いることで、屋外の圃場で栽培した場合に匹敵する大きさの根菜類を簡単にかつ安定して栽培可能であることを確認した。
【符号の説明】
【０１５０】
１、１ａ  植物栽培装置
１ｂ、１ｃ  植物栽培施設
２  上枠体
２１、２２  枠板
２３  栽培槽
２４  係止片
２５  嵌合段部
２６  スリット
２７  仕切り板
３  下箱体
３１  長手方向の側壁
３２  仕切り壁
３２ａ  スリット
３３  液肥槽
３４  栽培槽
３４ａ  底板
３４ｂ  仕切り板
３５  短手方向の側壁
３５ａ  側壁貫通孔
３６  下箱体貫通孔
３７  開閉栓
３８  液肥供給部
３８ａ  吸水体
３９  嵌合部
４  液肥
５  培地
５ａ  堆肥
６  水位計測装置
７  連結パイプ
８  中間枠体
８１  長手方向の側壁
８１ａ  嵌合部
８１ｂ  嵌合段部
８２  仕切り壁
８３  液肥槽
８３ａ  底板
８４  栽培槽
８５  短手方向の側壁
８６  中間枠体貫通孔
８７  開閉栓
８８  液肥供給部
８８ａ  吸水体
９  液肥調合槽
１０  水位調整槽
１１  液肥送液管
１２  ストップバルブ
１３  作業台
１４  ボールタップ
Ｈ  ヒートパイプ
Ｈｐ  温水ポンプ
Ｐ  植物
Ｇ  地面 
【図１】
2020068778.tif 000003
【図２】
2020068778.tif 000004
【図３】
2020068778.tif 000005
【図４】
2020068778.tif 000006
【図５】
2020068778.tif 000007
【図６】
2020068778.tif 000008
【図７】
2020068778.tif 000009
【図８】
2020068778.tif 000010
【図９】
2020068778.tif 000011
【図１０】
2020068778.tif 000012
【図１１】
2020068778.tif 000013
【図１２】
2020068778.tif 000014
【図１３】
2020068778.tif 000015
【図１４】
2020068778.tif 000016
【図１５】
2020068778.tif 000017
【図１６】
2020068778.tif 000018
【図１７】
2020068778.tif 000019
【図１８】
2020068778.tif 000020
【図１９】
2020068778.tif 000021
【図２０】
2020068778.tif 000022